(57)【特許請求の範囲】
【請求項１】
主表示部を備える親機と、
副表示部を備える子機と、
を有し、
前記親機の前記主表示部に、１つのメイン画面と前記メイン画面よりも小さいサブ画面を表示して、前記メイン画面に１または複数の表示データを表示し、各前記サブ画面に他の複数の表示データを並べて表示し、前記サブ画面の前記表示データを前記メイン画面の前記表示データと切り替え可能とし、
前記子機の前記副表示部に、１つのメイン画面と前記メイン画面よりも小さい第一サブ画面と前記メイン画面よりも小さい第二サブ画面とを表示して、前記第二サブ画面に複数の操作用表示データを表示し、前記操作用表示データの選択により、前記子機の前記メイン画面に前記親機の前記メイン画面に表示されている前記表示データを表示すると共に、前記子機の前記第一サブ画面に前記サブ画面に表示されている前記表示データを表示し、前記子機の前記第一サブ画面の前記表示データを前記子機の前記メイン画面の前記表示データと切り替え可能とすることを特徴とする表示装置。
【請求項２】
前記子機は、情報の入力が可能な操作部を備え、前記操作用表示データの選択により、前記子機の前記メイン画面に入力画面を表示し、前記入力画面での前記操作部の入力情報を前記親機の前記主表示部に表示される表示データに付加することを特徴とする請求項１に記載の表示装置。
【請求項３】
前記子機は、前記親機の前記主表示部に表示される表示データを切り替えることを特徴とする請求項１または２に記載の表示装置。
【請求項４】
前記子機は、可搬式端末であることを特徴とする請求項１から３のいずれか１つに記載の表示装置。
【請求項５】
前記子機は、情報取得部を備え、前記情報取得部で取得した入力情報を前記親機の主表示部に表示される表示データに付加することを特徴とする請求項４に記載の表示装置。
【請求項６】
前記子機を複数有し、予め設定した所定の前記子機にのみ前記親機の表示データに関わることを許容することを特徴とする請求項１から５のいずれか１つに記載の表示装置。
【請求項７】
多様な情報が記憶されるデータベースを有し、
前記親機および前記子機は、前記データベースから表示データを取得して前記主表示部および前記副表示部に表示させることを特徴する請求項１から６のいずれか１つに記載の表示装置。
【請求項８】
表示データに入力情報が付加された場合、当該入力情報が付加された表示データを前記データベースに記憶させることを特徴とする請求項７に記載の表示装置。
【請求項９】
ネットワークを介して複数の前記親機との間で表示データを共有することを特徴とする請求項１から８のいずれか１つに記載の表示装置。
【発明の詳細な説明】
【技術分野】
【０００１】
本発明は、例えば、複数の人員で意思決定を行う場合に情報の表示を行う表示装置に関するものである。
【背景技術】
【０００２】
例えば、原子力発電プラントは、原子炉、蒸気タービン、発電機などにより構成されている。そして、原子炉として加圧水型原子炉（ＰＷＲ：Pressurized  Water  Reactor）を適用した場合、加圧水型原子炉は、軽水を原子炉冷却材および中性子減速材として使用し、炉心全体にわたって沸騰しない高温高圧水を生成する。蒸気発生器は、この高温高圧水（一次冷却水）と二次冷却水との間で熱交換し、蒸気を生成する。そして、蒸気タービンは、この蒸気によりタービンを駆動し、発電機はこの駆動力により発電する。
【０００３】
このような原子力発電プラントにて、過酷事故（シビアアクシデント）が発生した場合、各所に災害対策室を設け、事故の状況を把握し、対策を講じる必要がある。一般的に、災害対策室は、大人数の関係者を召集し、プラントの状況把握や対策フローなどの指揮命令に必要な情報を提示する。
【０００４】
一般的な意思決定支援システムとしては、例えば、特許文献１に記載されたものがある。特許文献１は、意思決定に必要な情報を、意思決定支援装置からネットワークを介して各種端末に配信するために、意思決定の原因となるイベントをイベント管理部で検知し、イベントに応じたタスク（業務）割当ておよび通知すべき情報を、イベントに応じて情報相関管理部で管理される各情報の相関関係を用いて決定することが示されている。
【０００５】
また、災害時に携帯端末（移動端末）を利用するものとして、例えば、特許文献２から４に記載されたものがある。特許文献２から４は、災害情報管理装置がネットワークを介して携帯端末から端末情報を所得し、この端末情報から生成した情報を携帯端末に送信することが示されている。
【０００６】
また、その他、災害時の情報を管理する技術として、特許文献５および６に記載されたものがある。
【先行技術文献】
【特許文献】
【０００７】
【特許文献１】特開２０１３−０８８８２９号公報
【特許文献２】特開２０１４−０７８０７０号公報
【特許文献３】国際公開第２０１４／０５７８３５号
【特許文献４】特開２０１１−２１０２０５号公報
【特許文献５】特開２００６−２９２４０２号公報
【特許文献６】特開２００３−１７７６８６号公報
【発明の概要】
【発明が解決しようとする課題】
【０００８】
ところで、意思決定は、複数の場所の多数の人員間で共有する情報に基づき行われるが、この情報は様々なものがある。そして、様々な情報から意思決定に際して各人員が個々に必要な情報を所得して検証したり、検証した当該情報を共有したりすることが意思決定を迅速に行うために必要である。
【０００９】
本発明は、上述した課題を解決するものであり、多数の人員で必要な情報を個々に所得したり、個々の情報を多数の人員で共有したりすることのできる表示装置を提供することを目的とする。
【課題を解決するための手段】
【００１０】
上記の目的を達成するための本発明の表示装置は、複数の表示データを表示可能な主表示部を備える親機と、前記表示データを選択的に表示可能な副表示部を備える子機と、を有することを特徴とする。
【００１１】
この表示装置によれば、親機の主表示部で表示される表示データを、子機の副表示部で表示することで、親機の主表示部で表示する表示データを多数の人員で纏めて取得する場合に、個々の人員で必要とする表示データを子機の副表示部に表示して所得することができる。
【００１２】
本発明の表示装置では、前記子機は、情報の入力が可能な操作部を備え、前記操作部の入力情報を前記親機の主表示部に表示される表示データに付加することを特徴とする。
【００１３】
この表示装置によれば、子機の操作部の操作による入力情報を親機の主表示部に表示される表示データに付加することで、子機で入力情報を付加した表示データを親機の主表示部に表示して共有することができる。
【００１４】
本発明の表示装置では、前記子機は、前記親機の前記主表示部に表示される表示データを切り替えることを特徴とする。
【００１５】
この表示装置によれば、子機により親機の主表示部に表示される表示データを切り替えることで、親機の主表示部で表示する表示データを多数の人員で纏めて取得する場合に、この表示データを子機側で切り替えて、子機を操作する人員の表示データを多数の人員において共有することができる。
【００１６】
本発明の表示装置では、前記子機は、可搬式端末であることを特徴とする。
【００１７】
この表示装置によれば、子機が可搬式端末で持ち運ぶことができれば、親機から離れた場所で親機の主表示部に表示される表示データを子機の副表示部に表示して確認することができる。
【００１８】
本発明の表示装置では、前記子機は、情報取得部を備え、前記情報取得部で取得した入力情報を前記親機の主表示部に表示される表示データに付加することを特徴とする。
【００１９】
この表示装置によれば、親機から離れた場所において可搬式端末である子機の情報取得部で取得した入力情報を、親機の主表示部に表示される表示データに付加することで、親機の主表示部で表示する表示データを多数の人員で纏めて取得する場合に、この表示データを多数の人員において共有することができる。
【００２０】
本発明の表示装置では、前記子機を複数有し、予め設定した所定の前記子機にのみ前記親機の表示データに関わることを許容することを特徴とする。
【００２１】
この表示装置によれば、親機に表示される表示データの管理を行うことができる。
【００２２】
本発明の表示装置では、多様な情報が記憶されるデータベースを有し、前記親機および前記子機は、前記データベースから表示データを取得して前記主表示部および前記副表示部に表示させることを特徴する。
【００２３】
この表示装置によれば、データベースから表示データを取得することで共通の表示データを共有することができる。
【００２４】
本発明の表示装置では、表示データに入力情報が付加された場合、当該入力情報が付加された表示データを前記データベースに記憶させることを特徴とする。
【００２５】
この表示装置によれば、入力情報が付加された新たな表示データをデータベースに記憶させることで、データベースから新たな表示データを取得することができる。
【００２６】
本発明の表示装置では、ネットワークを介して複数の前記親機との間で表示データを共有することを特徴とする。
【００２７】
この表示装置によれば、離れた場所に配置される親機同士でネットワークを介して表示データを共有し、この表示データを子機で共有することができる。
【発明の効果】
【００２８】
本発明によれば、多数の人員で必要な情報を個々に所得したり、個々の情報を多数の人員で共有したりすることができる。
【図面の簡単な説明】
【００２９】
【図１】図１は、本発明に係る実施形態の表示装置を表す概略構成図である。
【図２】図２は、本発明に係る実施形態の表示装置の親機における主表示部の概略図である。
【図３】図３は、本発明に係る実施形態の表示装置の子機における副表示部の概略図である。
【図４】図４は、本発明に係る実施形態の表示装置の親機における主表示部での表示例を表す概略図である。
【図５】図５は、本発明に係る実施形態の表示装置の子機における副表示部での表示例を表す概略図である。
【図６】図６は、本発明に係る実施形態の表示装置の子機における副表示部での別の表示例を表す概略図である。
【図７】図７は、本発明に係る実施形態の表示装置の子機における副表示部での別の表示例を表す概略図である。
【図８】図８は、本発明に係る実施形態の別の表示装置を表す概略構成図である。
【図９】図９は、本発明に係る実施形態の別の表示装置を表す概略構成図である。
【発明を実施するための形態】
【００３０】
以下に添付図面を参照して、本発明に係る意思決定支援システムの好適な実施形態を詳細に説明する。なお、この実施形態により本発明が限定されるものではなく、また、実施形態が複数ある場合には、各実施形態を組み合わせて構成するものも含むものである。
【００３１】
図１は、本実施形態の表示装置を表す概略構成図である。図２は、本実施形態の表示装置の親機における主表示部の概略図である。図３は、本実施形態の表示装置の子機における副表示部の概略図である。図４は、本実施形態の表示装置の親機における主表示部での表示例を表す概略図である。図５から図７は、本実施形態の表示装置の子機における副表示部での表示例を表す概略図である。
【００３２】
表示装置１０は、会議システムに用いられる。会議システムは、本実施形態では、緊急時の意思決定支援システムを例示する。なお、意思決定支援システムは、例えば、原子力発電プラントに配置され、この原子力発電プラントの緊急時において様々な事象に対応する意思を決定する会議を実施するにあたりこれを支援するためのシステムである。
【００３３】
図１に示すように、表示装置１０は、親機１１と子機１２とを有し、さらに、親機１１と子機１２とを相互に接続するために、Ｉ／Ｆ部４１と、情報管理部４２と、データベース４３と、を有している。また、本実施形態の表示装置１０は、入力機器４４と、出力機器４５とを有していてもよい。また、本実施形態の表示装置１０は、原子力発電プラントにおける緊急時の意思決定支援システムとして適用される場合、シミュレーション部４６をさらに有する。
【００３４】
親機１１は、主表示部１１Ａと、主操作部１１Ｂとを有する。主表示部１１Ａは、会議に関わる複数の人員が見ることのできる大型のディスプレイである。主表示部１１Ａは、例えば、図２に示すように、表示面のほぼ全域のメイン画面１１Ａａと、メイン画面１１Ａａの下方域で帯状のサブ画面１１Ａｂとを有する。主操作部１１Ｂは、主表示部１１Ａの各画面１１Ａａ，１１Ａｂの表示を操作したり、当該表示に伴う様々な情報を入力したりするものである。主操作部１１Ｂは、主表示部１１Ａの画面に設けられたタッチパネル、または主表示部１１Ａに接続されたマウスやキーボードがある。
【００３５】
子機１２は、副表示部１２Ａと、副操作部１２Ｂとを有するパーソナルコンピュータなどである。副表示部１２Ａは、会議に関わる各人員がそれぞれ手元で見ることのできる小型のディスプレイである。副表示部１２Ａは、例えば、図３に示すように、表示面のほぼ全域のメイン画面１２Ａａと、メイン画面１２Ａａの下方域で帯状のサブ画面１２Ａｂと、メイン画面１２Ａａの上方域で帯状のサブ画面１２Ａｃとを有する。副操作部１２Ｂは、副表示部１２Ａの各画面１２Ａａ，１２Ａｂの表示を操作したり、当該表示に伴う様々な情報を入力したりするものである。副操作部１２Ｂは、副表示部１２Ａの画面に設けられたタッチパネル、または副表示部１２Ａに接続されたマウスやキーボードがある。
【００３６】
Ｉ／Ｆ部４１は、入出力部として構成され、各種データの入出力を行うものである。具体的に、Ｉ／Ｆ部４１は、子機１２が接続されている。また、Ｉ／Ｆ部４１は、入力機器４４および出力機器４５が接続される。入力機器４４は、パーソナルコンピュータやモバイル端末（タブレット端末）などがある。この入力機器４４は、電話で受けた情報やファクシミリで受けた情報などをＩ／Ｆ部４１に入力することができる。また、入力機器４４は、複数あってもよい。出力機器４５は、プリンタ装置やモバイル端末（タブレット端末）などがある。
【００３７】
また、Ｉ／Ｆ部４１は、表示装置１０が原子力発電プラントにおける緊急時の意思決定支援システムとして適用される場合、緊急時運転パラメータ伝送システム３３を介してプラントシステム３２が接続されると共に、サブシステム３１が接続されている。プラントシステム３２は、原子炉の各種データ（原子炉内の各種温度や流量などのデータ）を管理するものであり、必要に応じて原子力発電プラントの各種データをＩ／Ｆ部４１に入力する。緊急時運転パラメータ伝送システム３３は、プラントの緊急時に各種の運転パラメータをＩ／Ｆ部４１に入力する。サブシステム３１は、原子力発電プラント以外の各種データ（気象データなど）を管理するものであり、必要に応じてこの各種データをＩ／Ｆ部４１に入力する。
【００３８】
情報管理部４２は、外部から入力された各種データを加工することで、親機１１の主表示部１１Ａに表示させる表示データを作成する。また、情報管理部４２は、親機１１の主操作部１１Ｂの操作に基づき、親機１１の主表示部１１Ａの表示を切り替える。また、情報管理部４２は、親機１１の主操作部１１Ｂで操作された入力情報を、親機１１の主表示部１１Ａに表示されている表示データに付加して主表示部１１Ａに表示させる。
【００３９】
また、情報管理部４２は、子機１２の副操作部１２Ｂの操作に基づき、親機１１の主表示部１１Ａに表示させる表示データを子機１２に共有させて副表示部１２Ａに表示させる。
【００４０】
また、情報管理部４２は、子機１２の副操作部１２Ｂで操作された入力情報を、子機１２の副表示部１２Ａに表示されている表示データに付加して副表示部１２Ａに表示させる。また、情報管理部４２は、子機１２の副操作部１２Ｂの副操作部１２Ｂで操作された入力情報を、親機１１の主表示部１１Ａに表示される表示データに付加する。この親機１１の主表示部１１Ａに表示される表示データに対する入力情報の付加について、情報管理部４２は、子機１２が複数である場合、予め設定した所定の子機１２のみの操作に基づいて行う。つまり、情報管理部４２は、複数の各子機１２の固有識別情報を管理し、固有識別情報が登録された子機１２のみの副操作部１２Ｂの操作に基づいて、親機１１の主表示部１１Ａに表示される表示データに対して入力情報を付加する。
【００４１】
また、情報管理部４２は、子機１２の副操作部１２Ｂの操作に基づき、親機１１の表示を切り替える。この切り替えについて、情報管理部４２は、子機１２が複数である場合、予め設定した所定の子機１２のみの操作に基づいて親機１１の表示を切り替える。つまり、情報管理部４２は、複数の各子機１２の固有識別情報を管理し、固有識別情報が登録された子機１２のみの副操作部１２Ｂの操作に基づいて親機１１の表示を切り替える。
【００４２】
データベース４３は、外部から入力した各種データや情報管理部４２が生成した表示データなどを記憶するものである。データベース４３に記憶されるデータは、情報管理部４２が取り出すことができる。
【００４３】
シミュレーション部４６は、表示装置１０が原子力発電プラントにおける緊急時の意思決定支援システムとして適用される場合、情報管理部４２が収集したプラントデータに基づいてプラントの経時的変化を予測演算してプラント予測データを生成するものである。
【００４４】
このように構成された表示装置１０は、緊急時の意思決定支援システムとして適用される。例えば、過酷事故（シビアアクシデント）が発生した場合、まず、プラントシステム３２から原子炉トリップ信号が入力される。すると、情報管理部４２は、サブシステム３１やプラントシステム３２や緊急時運転パラメータ伝送システム３３から必要なプラントデータを収集する場合もあり、その場合は、収集したプラントデータに基づいて表示データを生成し、この表示データを親機１１の主表示部１１Ａに表示する。また、情報管理部４２は、収集したプラントデータに基づいてシミュレーション部４６でプラント予測データを生成させ、このプラント予測データに基づいて表示データを生成し、この表示データを親機１１の主表示部１１Ａに表示する。また、情報管理部４２は、入力機器４４から入力された情報を加工して表示データを生成し、この表示データを親機１１の主表示部１１Ａや子機１２の副表示部１２Ａに表示する。
【００４５】
親機１１の主表示部１１Ａには、様々な表示データが表示されることになる。情報管理部４２は、例えば、図４に示すように、様々な表示データＡからＭについて、表示データＡからＤをメイン画面１１Ａａに４分割で表示させ、他の表示データＥからＭをサブ画面１１Ａｂに小さく並べて表示させる。そして、情報管理部４２は、主操作部１１Ｂ（ここではタッチパネルとする）の操作に基づいて、主表示部１１Ａの表示を切り替える。例えば、サブ画面１１Ａｂの表示データＥにオペレータが手を触れてメイン画面１１Ａａの表示データＣの位置に移動するように手をスライド移動させるように操作することで、表示データＥをメイン画面１１Ａａに表示させる。このとき、メイン画面１１Ａａの表示データＣは、サブ画面１１Ａｂに表示される。なお、図には明示しないが、情報管理部４２は、例えば、様々な表示データＡからＭについて、表示データＡをメイン画面１１Ａａに表示させ、他の表示データＢからＭをサブ画面１１Ａｂに小さく並べて表示させることもできる。
【００４６】
子機１２の副表示部１２Ａにも、様々な表示データが表示されることになる。情報管理部４２は、親機１１の主表示部１１Ａに表示される表示データを、子機１２の副操作部１２Ｂの操作に基づいて子機１２に共有させて副表示部１２Ａに表示させる。例えば、図５に示すように、操作用の表示データ１から３をサブ画面１２Ａｃに並べて表示させる。そして、副操作部１２Ｂ（ここではタッチパネルとする）の操作として、表示データ１にオペレータが手を触れて選択する。すると、情報管理部４２は、様々な表示データＡからＭについて、例えば、表示データＡをメイン画面１２Ａａに表示させ、他の表示データＢからＭをサブ画面１２Ａｂに小さく並べて表示させる。また、情報管理部４２は、副操作部１２Ｂ（ここではタッチパネルとする）の操作に基づいて、副表示部１２Ａの表示を切り替える。例えば、サブ画面１２Ａｂの表示データＢにオペレータが手を触れてメイン画面１２Ａａの表示データＡの位置に移動するように手をスライド移動させるように操作することで、表示データＢをメイン画面１２Ａａに表示させる。このとき、メイン画面１２Ａａの表示データＡは、サブ画面１２Ａｂに表示される。
【００４７】
また、情報管理部４２は、子機１２の副操作部１２Ｂで操作された入力情報を、親機１１の主表示部１１Ａに表示される表示データに付加する。例えば、図６に示すように、副操作部１２Ｂの操作として、表示データ２にオペレータが手で触れて選択する。すると、情報管理部４２は、子機１２の副表示部１２Ａのメイン画面１２Ａａに入力キーや入力画面が表示される。そして、オペレータが入力を行い、親機１１の主表示部１１Ａに表示される表示データを選択することで、当該表示データに入力情報が付加される。この親機１１の主表示部１１Ａに表示される表示データに対する入力情報の付加について、情報管理部４２は、子機１２が複数である場合、予め設定した所定の子機１２のみの操作に基づいて行う。つまり、情報管理部４２は、複数の各子機１２の固有識別情報を管理し、固有識別情報が登録された子機１２のみの副操作部１２Ｂの操作に基づいて、親機１１の主表示部１１Ａに表示される表示データに対して入力情報を付加する。また、情報管理部４２は、子機１２の副表示部１２Ａのメイン画面１２Ａａに入力キーや入力画面によりオペレータが記憶を選択することで、親機１１の主表示部１１Ａに表示される表示データに対して付加された情報がデータベース４３に記憶される。
【００４８】
また、情報管理部４２は、子機１２の副操作部１２Ｂの操作に基づき、親機１１の表示を切り替える。例えば、図７に示すように、副操作部１２Ｂの操作として、表示データ３にオペレータが手で触れて選択する。すると、情報管理部４２は、現在の親機１１の主表示部１１Ａにおける表示（ここでは図４における表示）をメイン画面１２Ａａに表示させる。そして、情報管理部４２は、上述した親機１１の表示切り替えと同様にして、子機１２の副表示部１２Ａの表示の操作に基づき、親機１１の主表示部１１Ａの表示を切り替える。従って、情報管理部４２は、子機１２の副操作部１２Ｂの操作に基づき、親機１１の表示を切り替える。
【００４９】
従って、子機１２は、親機１１の主表示部１１Ａに表示される表示データを表示することができる。また、子機１２は、親機１１の主表示部１１Ａに表示される表示データに入力情報を付加することができ、この表示データを親機１１の主表示部１１Ａに表示することができ、かつデータベース４３に記憶することができる。また、子機１２は、親機１１の主表示部１１Ａの表示を切り替えることができる。
【００５０】
図８は、本実施形態の別の表示装置を表す概略構成図である。図８に示す表示装置１０は、子機１２が可搬式端末であることが上述した実施形態と異なり、その他の構成は同様である。従って、図８に係る説明では、上述した実施形態と同等の構成に同一の符号を付して説明を省略する。
【００５１】
子機１２は、可搬式端末、即ち、独自にバッテリーを有して持ち運んで使用することのできるモバイル端末（タブレット端末）として構成されている。このため、子機１２は、Ｉ／Ｆ部４１との間で無線回線により相互にデータを送受信できるように接続されている。
【００５２】
この子機１２は、情報取得部１２Ｃを有している。情報取得部１２Ｃは、例えば、カメラ、マイクなどである。即ち、子機１２は、カメラにより撮影した画像や映像などの撮影データを入力情報として取得することができる。また、子機１２は、マイクにより録音した音声などの録音データを入力情報として取得することができる。子機１２は、この入力情報を親機１１の主表示部１１Ａに表示される表示データに付加することができ、この表示データを親機１１の主表示部１１Ａに表示することができ、かつデータベース４３に記憶することができる。
【００５３】
また、子機１２は、情報取得部１２Ｃとして、移動範囲の地図データを予め取得し、この地図データ上で自身の位置を示せるように位置データが取得できる。即ち、子機１２は、位置データを入力情報に付加し、移動した位置に関わる入力情報として取得することができる。子機１２は、この入力情報を親機１１の主表示部１１Ａに表示される表示データに付加することができ、この表示データを親機１１の主表示部１１Ａに表示することができ、かつデータベース４３に記憶することができる。
【００５４】
図９は、本実施形態の別の表示装置を表す概略構成図である。図９に示す実施形態は、同様の表示装置が複数あって符号１０Ａ，１０Ｂ，１０Ｃ，１０Ｄ…を付し、これら表示装置１０Ａ，１０Ｂ，１０Ｃ，１０Ｄ…が原子炉に関する総合的な災害時に活用するネットワーク（以下、ネットワークという）５０を介して相互に各種データを送受信できるように接続されている点が上述した実施形態と異なり、その他の構成は同様である。従って、図９に係る説明では、上述した実施形態と同等の構成に同一の符号を付して説明を省略する。なお、図９では、図８と同様に表示装置１０Ａの子機１２が可搬式端末であることとして示しているが、図１と同様に可搬式端末でないことも含む。
【００５５】
表示装置１０Ａ，１０Ｂ，１０Ｃ，１０Ｄ…は、原子力発電プラントにおける緊急時の意思決定支援システムとして用いられ、それぞれ原子力発電プラント、電力会社、地方自治体、国（政府政策機関、規制庁、オフサイトセンター）、プラントメーカに配置される。
【００５６】
各表示装置１０Ａ，１０Ｂ，１０Ｃ，１０Ｄ…は、同期管理部４７を有する。同期管理部４７は、Ｉ／Ｆ部４１と情報管理部４２との間でそれぞれに接続されていると共に、ネットワーク５０に接続され、他の表示装置との間で情報の共有を行うものである。例えば、同期管理部４７は、ネットワーク５０を通して各種のデータの送受信を行い、データの更新を行う。また、同期管理部４７は、ネットワーク５０が切断され、所定期間が経過して再びネットワーク５０が接続されたとき、他の表示装置から受信したデータに基づいてデータの更新を行う。即ち、各表示装置１０Ａ，１０Ｂ，１０Ｃ，１０Ｄ…は、ネットワーク５０に接続されることで、各種の情報を共有可能に構成されている。また、データベース４３は、各表示装置１０Ａ，１０Ｂ，１０Ｃ，１０Ｄ…にそれぞれ接続されていてもよいが、図９に示すように、単一のデータベース４３がネットワーク５０に接続され、各表示装置１０Ａ，１０Ｂ，１０Ｃ，１０Ｄ…がネットワーク５０を介して各種の情報を共有可能に構成されていてもよい。
【００５７】
また、情報管理部４２は、緊急時に必要な緊急時情報に基づいて表示データを生成すると共に、ネットワーク５０を介して緊急時情報を共有することができる。ここで、緊急時情報とは、例えば、下記に記載するものである。
１．人員リソース管理情報−入力機器４４を用いて入力
２．後方支援（物資運搬）情報−入力機器４４を用いて入力
３．放射線モニタリング（周辺、所内、建物内）情報−モニタリングポストからネットワーク５０を通して入力
４．気象情報、風向情報、地震情報、津波情報−ネットワーク５０を通して入力
５．プラント内の被害状況（カメラ映像、崖崩れ、復旧状況）情報−入力機器４４や親機１１の主操作部１１Ｂや子機１２の副操作部１２Ｂおよび情報取得部１２Ｃを用いて入力
６．プラント炉心情報（燃料温度、炉内温度、炉内圧力等）−緊急時運転パラメータ伝送システム３３から入力
７．プラント状況の進展予測情報−シミュレーション部４６から入力
８．プラント周辺の送電情報−電力会社からネットワーク５０を通して入力
９．プラント内対応状況（可搬式設備の状況）情報−入力機器４４を用いて入力
１０．原子炉設計図面など保管義務のある資料の情報−データベース４３からネットワーク５０を通して入力
１１．タスク管理情報−入力機器４４を用いて入力
１２．ＦＡＸ画像情報など−入力機器４４を用いて入力
【００５８】
そして、情報管理部４２は、この緊急時情報のうちの意思決定に必要な情報だけを選択して表示データを生成すると共に、ネットワーク５０を介して他の表示装置と表示データを共有する。即ち、緊急時の意思決定支援システムとして適用される表示装置１０Ａ，１０Ｂ，１０Ｃ，１０Ｄ…は、原子力発電プラント、電力会社、地方自治体、国、プラントメーカなど、異なる位置に配置されていることから、必要となる緊急時情報も異なる。そのため、表示装置１０Ａ，１０Ｂ，１０Ｃ，１０Ｄ…は、予め、緊急時情報に優先度を付け、優先度の高い情報だけを選択して表示する。
【００５９】
この場合、情報管理部４２が選択する意思決定に必要な情報は、リアルタイム情報を含めた最新の情報を含んでいる。即ち、各種の緊急時情報は、随時、入力機器４４や親機１１の主操作部１１Ｂやネットワーク５０から情報管理部４２に入力されるが、日時と共にデータベース４３に保存しており、常に最新のものを表示する。リアルタイム情報としては、緊急時運転パラメータ伝送システム３３から入力されるプラント炉心情報（燃料温度、炉内温度、炉内圧力等）、ネットワーク５０を通して入力される放射線モニタリング（周辺、所内、建物内）情報などがある。
【００６０】
また、情報管理部４２が選択する意思決定に必要な情報は、所定の優先表示基準を満たした情報を含み、この情報に基づいた表示データを親機１１の主表示部１１Ａに優先表示させる。ここで、優先表示基準とは、危険度の高い情報や重要度の高い情報である。例えば、プラントにて、燃料温度や炉内温度や炉内圧力の各変化率が予め設定された基準値を超えたときにこの情報を優先的に表示する。また、降雨量や風速や震度などの気象状況が大幅に変動したときにこの情報を優先的に表示する。また、放射線モニタリング（周辺、所内、建物内）情報の一部である空間線量率が予め設定された基準値を超えたときにこの情報を優先的に表示する。また、予め設定された指示機関（例えば、国）からの情報を優先的に表示する。
【００６１】
情報管理部４２は、所定の優先表示基準を満たした情報を親機１１の主表示部１１Ａに表示するとき、その優先度（重要度）に応じて親機１１の主表示部１１Ａに強調表示（例えば、表示自体が飛び出すようにポップアップさせる）する。
【００６２】
また、情報管理部４２は、選択する意思決定に必要な情報をデータベース４３に記憶された緊急時情報を対応策の項目ごとに整理した表示データとして親機１１の主表示部１１Ａに表示する。ここで、対応策の項目とは、例えば、以下に記載するものである。
１．避難時期
２．避難ルート
３．避難場所
４．作業手順
５．人員配置
６．作業者ルート
７．電源ルート
８．運搬物資の種類と数
【００６３】
データベース４３は、多数の緊急時情報が記憶されているが、情報管理部４２は、データベース４３に記憶されている多数の緊急時情報から、各対応策の項目を決定するために必要な緊急時情報だけを表示データとして親機１１の主表示部１１Ａに表示する。
【００６４】
また、情報管理部４２が選択する意思決定に必要な情報は、情報管理部４２が緊急時情報に基づいて経時的変化を予測演算し生成した予測データを含んでいる。シミュレーション部４６は、情報管理部４２が収集したプラントデータに基づいてプラントの経時的変化を予測演算してプラント予測データを生成する。情報管理部４２は、シミュレーション部４６が予測演算して得たプラント予測データを表示することができる。
【００６５】
このように、原子力発電プラントにおける緊急時の意思決定支援システムとして用いられる表示装置１０Ａにおいて、過酷事故が発生した場合、情報管理部４２は、プラントシステム３２から必要なプラントデータ（緊急時情報）を収集すると共に、ネットワーク５０から各種の緊急時情報を収集する。そして、情報管理部４２は、収集した各種の緊急時情報に基づいて表示データを生成し、親機１１の主表示部１１Ａは、この表示データを表示する。また、情報管理部４２は、入力機器４４から入力された情報を加工して表示データを生成し、親機１１の主表示部１１Ａは、この表示データを表示する。一方、子機１２は、親機１１の主表示部１１Ａに表示される表示データを副表示部１２Ａに表示する。また、子機１２は、副操作部１２Ｂの操作により入力された入力情報を親機１１の主表示部１１Ａに表示される表示データに付加する。また、子機１２は、親機１１の主表示部１１Ａに表示される表示データを切り替える。また、子機１２は、情報取得部１２Ｃを備え、情報取得部１２Ｃで取得した取得情報を親機１１の主表示部１１Ａに表示される表示データに付加する。
【００６６】
このように、本実施形態の表示装置１０（１０Ａ，１０Ｂ，１０Ｃ，１０Ｄ…）は、複数の表示データを表示可能な主表示部１１Ａを備える親機１１と、この表示データを選択的に表示可能な副表示部１２Ａを備える子機１２と、を有する。
【００６７】
この表示装置１０（１０Ａ，１０Ｂ，１０Ｃ，１０Ｄ…）によれば、親機１１の主表示部１１Ａで表示される表示データを、子機１２の副表示部１２Ａで表示することで、親機１１の主表示部１１Ａで表示する表示データを多数の人員で纏めて取得する場合に、個々の人員で必要とする表示データを子機１２の副表示部１２Ａに表示して所得することができる。
【００６８】
また、本実施形態の表示装置１０（１０Ａ，１０Ｂ，１０Ｃ，１０Ｄ…）では、子機１２は、情報の入力が可能な副操作部（操作部）１２Ｂを備え、副操作部１２Ｂの入力情報を親機１１の主表示部１１Ａに表示される表示データに付加する。
【００６９】
この表示装置１０（１０Ａ，１０Ｂ，１０Ｃ，１０Ｄ…）によれば、子機１２の副操作部１２Ｂの操作による入力情報を親機１１の主表示部１１Ａに表示される表示データに付加することで、子機１２で入力情報を付加した表示データを親機１１の主表示部１１Ａに表示して共有することができる。
【００７０】
また、本実施形態の表示装置１０（１０Ａ，１０Ｂ，１０Ｃ，１０Ｄ…）では、子機１２は、親機１１の主表示部１１Ａに表示される表示データを切り替える。
【００７１】
この表示装置１０（１０Ａ，１０Ｂ，１０Ｃ，１０Ｄ…）によれば、子機１２により親機１１の主表示部１１Ａに表示される表示データを切り替えることで、親機１１の主表示部１１Ａで表示する表示データを多数の人員で纏めて取得する場合に、この表示データを子機１２側で切り替えて、子機１２を操作する人員の表示データを多数の人員において共有することができる。
【００７２】
また、本実施形態の表示装置１０（１０Ａ，１０Ｂ，１０Ｃ，１０Ｄ…）では、子機１２は、可搬式端末である。
【００７３】
この表示装置１０（１０Ａ，１０Ｂ，１０Ｃ，１０Ｄ…）によれば、子機１２が可搬式端末で持ち運ぶことができれば、親機１１から離れた場所で親機１１の主表示部１１Ａに表示される表示データを子機１２の副表示部１２Ａに表示して確認することができる。
【００７４】
また、本実施形態の表示装置１０（１０Ａ，１０Ｂ，１０Ｃ，１０Ｄ…）では、可搬式端末である子機１２は、情報取得部１２Ｃを備え、情報取得部１２Ｃで取得した入力情報を親機１１の主表示部１１Ａに表示される表示データに付加する。
【００７５】
この表示装置１０（１０Ａ，１０Ｂ，１０Ｃ，１０Ｄ…）によれば、親機１１から離れた場所において可搬式端末である子機１２の情報取得部１２Ｃで取得した入力情報を、親機１１の主表示部１１Ａに表示される表示データに付加することで、親機１１の主表示部１１Ａで表示する表示データを多数の人員で纏めて取得する場合に、この表示データを多数の人員において共有することができる。
【００７６】
また、本実施形態の表示装置１０（１０Ａ，１０Ｂ，１０Ｃ，１０Ｄ…）では、子機１２を複数有し、予め設定した所定の子機１２にのみ親機１１の表示データに関わることを許容する。
【００７７】
この表示装置１０（１０Ａ，１０Ｂ，１０Ｃ，１０Ｄ…）によれば、複数の各子機１２の固有識別情報を管理し、固有識別情報が登録された子機１２のみ親機１１の表示データに関わることを許容することで、親機１１に表示される表示データの管理を行うことができる。
【００７８】
また、本実施形態の表示装置１０（１０Ａ，１０Ｂ，１０Ｃ，１０Ｄ…）では、多様な情報が記憶されるデータベース４３を有し、親機１１および子機１２は、データベース４３から表示データを取得して主表示部１１Ａおよび副表示部１２Ａに表示させる。
【００７９】
この表示装置１０（１０Ａ，１０Ｂ，１０Ｃ，１０Ｄ…）によれば、データベース４３から表示データを取得することで共通の表示データを共有することができる。
【００８０】
また、本実施形態の表示装置１０（１０Ａ，１０Ｂ，１０Ｃ，１０Ｄ…）では、表示データに入力情報が付加された場合、当該入力情報が付加された表示データをデータベース４３に記憶させる。
【００８１】
この表示装置１０（１０Ａ，１０Ｂ，１０Ｃ，１０Ｄ…）によれば、入力情報が付加された新たな表示データをデータベース４３に記憶させることで、データベース４３から新たな表示データを取得することができる。
【００８２】
また、本実施形態の表示装置１０（１０Ａ，１０Ｂ，１０Ｃ，１０Ｄ…）では、ネットワーク５０を介して複数の親機１１との間で表示データを共有する。
【００８３】
この表示装置１０（１０Ａ，１０Ｂ，１０Ｃ，１０Ｄ…）によれば、離れた場所に配置される親機１１同士でネットワーク５０を介して表示データを共有し、この表示データを子機１２で共有することができる。
【符号の説明】
【００８４】
１０（１０Ａ，１０Ｂ，１０Ｃ，１０Ｄ）  表示装置
１１  親機
１１Ａ  主表示部
１１Ｂ  主操作部
１２  子機
１２Ａ  副表示部
１２Ｂ  副操作部
１２Ｃ  情報取得部
４２  情報管理部
４３  データベース
５０  ネットワーク
【図１】
0006586283.tif 000002
【図２】
0006586283.tif 000003
【図３】
0006586283.tif 000004
【図４】
0006586283.tif 000005
【図５】
0006586283.tif 000006
【図６】
0006586283.tif 000007
【図７】
0006586283.tif 000008
【図８】
0006586283.tif 000009
【図９】
0006586283.tif 000010